(57)【要約】【課題】２つの異なるユニット間の親和性を高め、第１のユニットの操作によって両者を連携して動作させることができるコンテンツ再生装置を提供する。【解決手段】本発明のコンテンツ再生装置は、第１のコンテンツを処理する第１のユニットと、第２のコンテンツを処理する第２のユニットとを備えている。第１のユニットは第１のコンテンツを取得する手段と、第１のコンテンツに関する情報を第２のユニットに送信する手段と、第２のユニットから送られた第２のコンテンツを受信する手段と、第１および第２のコンテンツを合成した合成コンテンツを生成する手段と、合成コンテンツを再生する手段とを備え、第２のユニットは第１のユニットから送られた第１のコンテンツに関する情報を受信する手段と、この情報に関連するコンテンツを第２のコンテンツとして外部から取得する手段と、取得した第２のコンテンツを第１のユニットに送信する手段とを備えている。【選択図】図１
2011004138.tif 000002
【特許請求の範囲】
【請求項１】
第１のコンテンツを処理する第１のユニットと、第２のコンテンツを処理する第２のユニットとを備えたコンテンツ再生装置であって、
上記第１のユニットは、
上記第１のコンテンツと、上記第１のコンテンツに関する情報である第１のコンテンツ情報とを取得する第１のコンテンツ取得手段と、
上記第１のコンテンツ情報を上記第２のユニットに送信する第１のコンテンツ情報送信手段と、
上記第２のユニットから送信された上記第２のコンテンツを受信するコンテンツ受信手段と、
上記第１のコンテンツと上記第２のコンテンツとを合成することによって、合成コンテンツを生成するコンテンツ合成手段と、
上記合成コンテンツを再生するコンテンツ再生手段とを備え、
上記第２のユニットは、
上記第１のユニットから送信された上記第１のコンテンツ情報を受信する第１のコンテンツ情報受信手段と、
上記第１のコンテンツ情報に関連するコンテンツを上記第２のコンテンツとして外部から取得する第２のコンテンツ取得手段と、
取得した上記第２のコンテンツを上記第１のユニットに送信するコンテンツ送信手段とを備えていることを特徴とするコンテンツ再生装置。
【請求項２】
上記第１のコンテンツは少なくとも第１の映像を含んでおり、上記第１のコンテンツ情報は上記第１の映像に関する情報であることを特徴とする請求項１に記載のコンテンツ再生装置。
【請求項３】
上記第１のコンテンツ取得手段は、放送波、通信ネットワーク、外部記憶装置、内部記憶装置、および記録メディアの少なくともいずれかを通じて、上記第１のコンテンツおよび上記第１のコンテンツ情報を取得することを特徴とする請求項１または２に記載のコンテンツ再生装置。
【請求項４】
上記第１のユニットは、
上記放送波を受信する放送波受信手段をさらに備え、
上記第１のコンテンツ取得手段は、受信された上記放送波をデコードして上記第１のコンテンツおよび上記第１のコンテンツ情報を取得することを特徴とする請求項３に記載のコンテンツ再生装置。
【請求項５】
上記第１のコンテンツはＴＶ番組であり、上記第１のコンテンツ情報は該ＴＶ番組に関する情報である番組情報であり、
上記第２のコンテンツは上記番組情報に関連するコンテンツであることを特徴とする請求項１から４のいずれか１項に記載のコンテンツ再生装置。
【請求項６】
上記第２のユニットは、上記第２のコンテンツを外部から取得する際の条件を設定する条件設定手段をさらに備えており、
上記第２のコンテンツ取得手段は、設定された上記条件に基づいて上記第２のコンテンツを取得することを特徴とする請求項１〜５のいずれか１項に記載のコンテンツ再生装置。
【請求項７】
上記第２のコンテンツ取得手段は、通信ネットワーク、外部記憶装置、および記録メディアの少なくともいずれかを通じて、上記第２のコンテンツを取得することを特徴とする請求項１〜６のいずれか１項に記載のコンテンツ再生装置。
【請求項８】
上記コンテンツ再生手段は、合成された上記第１のコンテンツおよび第２のコンテンツをディスプレイに出力することを特徴とする請求項１〜７のいずれか１項に記載のコンテンツ再生装置。
【請求項９】
上記第２のコンテンツは少なくとも第２の映像を含んでいることを特徴とする請求項１〜８のいずれか１項に記載のコンテンツ再生装置。
【請求項１０】
上記第２のコンテンツ取得手段は、上記第２のコンテンツとともに上記第２のコンテンツに関する情報である第２のコンテンツ情報を取得し、
上記第２のユニットは、
上記第２のコンテンツ情報を上記第１のユニットに送信する、第２のコンテンツ情報送信手段をさらに備え、
上記第１のユニットは、
上記第２のユニットから送信された第２のコンテンツ情報を受信する第２のコンテンツ情報受信手段をさらに備え、
上記コンテンツ合成手段は、上記第１のコンテンツと、上記第２の映像および上記第２のコンテンツ情報の少なくともいずれかとを合成して上記合成コンテンツを生成することを特徴とする請求項９に記載のコンテンツ再生装置。
【請求項１１】
上記第２のコンテンツ情報は、上記第２の映像に関する情報であることを特徴とする請求項１０に記載のコンテンツ再生装置。
【請求項１２】
上記第２のユニットは、上記第１のユニットから着脱可能であることを特徴とする請求項１〜１１のいずれか１項に記載のコンテンツ再生装置。
【請求項１３】
上記第２のユニットは、上記第１のユニットの筐体本体に内蔵されていることを特徴とする請求項１〜１１のいずれか１項に記載のコンテンツ再生装置。
【請求項１４】
請求項１〜１３のいずれか１項に記載のコンテンツ再生装置を動作させるプログラムであって、コンピュータを上記各手段として機能させるためのプログラム。
【請求項１５】
請求項１４に記載のプログラムを記録しているコンピュータ読み取り可能な記録媒体。
【発明の詳細な説明】
【技術分野】
【０００１】
本発明は、複数のユニットによって構成されるコンテンツ再生装置、プログラム、および記録媒体に関する。
【背景技術】
【０００２】
近年、放送番組を視聴しながら、同一画面上で別の映像を見たいという要望が、視聴者の間に高まっている。これを背景に、子画面を用いて放送番組以外の他の映像を表示する技術が色々と提案されている。
【０００３】
特許文献１には、テレビ画面とインターネットに接続して得られたブラウザ画面を同時にディスプレイに表示する映像表示装置が開示されている。
【０００４】
特許文献２には、デジタル放送を高解像度で短時間に視聴するとともに、ユーザのＴＶ／ＰＣ機能をシームレスに選択できるテレビ機能付きパーソナルコンピュータが開示されている。
【０００５】
特許文献３には、ＰＣの負荷を増加することなくテレビや録画番組の視聴ができ、ＰＣ作業中にＰＣモニタ上の任意の位置にオーバーレイ表示によるテレビ画像を小画面表示することができるとともに、作業域とテレビのオーバーレイ領域が重なり操作性が悪くなった場合にも、作業域を任意の位置へ移動させ、かつ任意の大きさに変更することができ、操作性を大幅に改善することができる画像処理装置が開示されている。
【０００６】
特許文献４には、ＰＣ映像信号とスケーリングされたＴＶ映像信号をフレームメモリ上で、画面が重畳しないように合成し、ＰＣ画面とＴＶ画面をタイル表示する表示装置が開示されている。
【０００７】
また、特許文献５には、テレビ放送においてユーザが選局しているテレビチャンネルの情報を取得し、インターネット網を媒体として送信するホームゲートウェイ装置と、各家庭のホームゲートウェイ装置から送信された選局テレビチャンネル情報と対応したテレビ番組に関連するインターネット上のコンテンツ情報をユーザに配信する情報配信サーバとを有する情報配信システムが開示されている。
【先行技術文献】
【特許文献】
【０００８】
【特許文献１】特開２００８−７９０７７号公報（公開日：２００８年４月３日）
【特許文献２】特開２００６−３１０８９６号公報（公開日：２００６年１１月９日）
【特許文献３】特開２００７−３１１９５８号公報（公開日：２００７年１１月２９日）
【特許文献４】特開２００４−３３４０５８号公報（公開日：２００４年１１月２５日）
【特許文献５】特開２００２−２１５５１２号公報（公開日：２００２年８月２日）
【発明の概要】
【発明が解決しようとする課題】
【０００９】
しかし、上述した従来技術には次のような問題がある。
【００１０】
特許文献１の技術では、ブラウザ機能をテレビ装置の中で実現している。この構成では、テレビ装置のソフトウェアおよびハードウェアは、コンピュータのそれらに比べて貧弱であるため、限られたサービスしか処理できない。特に、インターネットを通じて提供されるサービスは日々進化しているため、特許文献１の技術では、オンラインゲームおよび動画再生サービスなど処理に多大な負荷を要する数多くのサービスには対応できない。その結果、ユーザに対して極僅かなサービスを提供できるに留まる。特許文献２の技術にも同様の問題がある。
【００１１】
特許文献３〜５の技術では、テレビと外部ＰＣまたはホームゲートウェイ装置とを接続することによって、テレビ画面とＰＣ画面またはウェブページ画面とを混在させて表示する。この技術では、別体の２つの装置を互いに接続するため、配線等が複雑になる。結果、装置の設置および持ち運びが面倒なものとなる。また、テレビ放送の処理とコンピュータの処理とが互いに無関係に動作しているため、それぞれを別々の操作装置で操作せざるを得ない。また、両者の連携を実現することは困難である。
【００１２】
本発明は、上記の問題点に鑑みてなされたものであり、その目的は、２つの異なるユニット間の親和性を高め、第１のユニットの操作によって両者を連携して動作させることができるコンテンツ再生装置、プログラム、および記録媒体を提供することにある。
【課題を解決するための手段】
【００１３】
本発明に係るコンテンツ再生装置は、上記課題を解決するために、
第１のコンテンツを処理する第１のユニットと、第２のコンテンツを処理する第２のユニットとを備えたコンテンツ再生装置であって、
上記第１のユニットは、
上記第１のコンテンツと、上記第１のコンテンツに関する情報である第１のコンテンツ情報とを取得する第１のコンテンツ取得手段と、
上記第１のコンテンツ情報を上記第２のユニットに送信する第１のコンテンツ情報送信手段と、
上記第２のユニットから送信された上記第２のコンテンツを受信するコンテンツ受信手段と、
上記第１のコンテンツと上記第２のコンテンツとを合成することによって、合成コンテンツを生成するコンテンツ合成手段と、
上記合成コンテンツを再生するコンテンツ再生手段とを備え、
上記第２のユニットは、
上記第１のユニットから送信された上記第１のコンテンツ情報を受信する第１のコンテンツ情報受信手段と、
上記第１のコンテンツ情報に関連するコンテンツを上記第２のコンテンツとして外部から取得する第２のコンテンツ取得手段と、
取得した上記第２のコンテンツを上記第１のユニットに送信するコンテンツ送信手段とを備えている構成である。
【００１４】
上記構成によれば、コンテンツ再生装置において、第１のユニットと第２のユニットとは互いに連携して動作する。コンテンツ再生装置は、第１のユニットが取得した第１のコンテンツと、第２のユニットが取得した第２のコンテンツとを合成して１つの合成コンテンツを得る。こうして得た合成コンテンツを再生してユーザに視聴させる。その際、第２のユニットは第１のユニットから送られた第１のコンテンツ情報に関連するコンテンツを、第２のコンテンツとして外部から取得し、第１のユニットに提供する。したがって、ユーザは第１のコンテンツと、第１のコンテンツに関連する第２のコンテンツとを同時に視聴できる。
【００１５】
以上のように、本発明に係るコンテンツ再生装置は、２つの異なるユニット間の親和性を高め、第１のユニットを操作することにより両者を連携して動作させ、それぞれのユニットが取得した互いに関連するコンテンツを同時に再生することができる。
【００１６】
なお上記第１のコンテンツは少なくとも第１の映像を含んでおり、上記第１のコンテンツ情報は上記第１の映像に関する情報であることが好ましい。
【００１７】
上記の構成によれば、コンテンツ再生装置は、コンテンツとして映像を再生できる。
【００１８】
（第１のコンテンツの取得源）
また本発明に係るコンテンツ再生装置において、
上記第１のコンテンツ取得手段は、放送波、通信ネットワーク、外部記憶装置、内部記憶装置、および記録メディアの少なくともいずれかを通じて、上記第１のコンテンツおよび上記第１のコンテンツ情報を取得することが好ましい。
【００１９】
上記の構成によれば、コンテンツ再生装置は、様々なコンテンツおよびコンテンツ情報を取得でき、様々なコンテンツを再生できる。
【００２０】
（第１のユニット＝ＴＶ）
また本発明に係るコンテンツ再生装置において、
上記第１のユニットは、
上記放送波を受信する放送波受信手段をさらに備え、
上記第１のコンテンツ取得手段は、受信された上記放送波をデコードして上記第１のコンテンツおよび上記第１のコンテンツ情報を取得することが好ましい。
【００２１】
上記構成によれば、第１のユニットが放送番組を再生できる。その結果、コンテンツ再生装置をテレビジョン装置の一種として実現できる。
【００２２】
（第１のコンテンツ＝ＴＶ番組）
また本発明に係るコンテンツ再生装置において、
上記第１のコンテンツはＴＶ番組であり、上記第１のコンテンツ情報は該ＴＶ番組に関する情報である番組情報であり、
上記第２のコンテンツは上記番組情報に関連するコンテンツであることが好ましい。
【００２３】
上記構成によれば、ユーザがＴＶ番組を視聴している際に、このＴＶ番組に関連する情報を併せて視聴することができる。
【００２４】
（条件を設定して第２のコンテンツを取得）
また本発明に係るコンテンツ再生装置において、
上記第２のユニットは、上記第２のコンテンツを外部から取得する際の条件を設定する条件設定手段をさらに備えており、
上記第２のコンテンツ取得手段は、設定された上記条件に基づいて上記第２のコンテンツを取得することが好ましい。
【００２５】
上記構成によれば、第２のユニットは、第１のコンテンツ情報に関連したコンテンツであって、所定の条件に適合したコンテンツを取得することができる。
【００２６】
（第２のコンテンツの取得源）
また本発明に係るコンテンツ再生装置において、
上記第２のコンテンツ取得手段は、通信ネットワーク、外部記憶装置、および記録メディアの少なくともいずれかを通じて、上記第２のコンテンツを取得することが好ましい。
【００２７】
上記構成によれば、コンテンツ再生装置は多種多様なコンテンツを再生できる。
【００２８】
（合成コンテンツの表示）
また本発明に係るコンテンツ再生装置において、
上記コンテンツ再生手段は、合成された上記第１のコンテンツおよび第２のコンテンツをディスプレイに出力することが好ましい。
【００２９】
上記構成によれば、ユーザに、２つの異なるコンテンツを同時に視認させることができる。
【００３０】
また本発明に係るコンテンツ再生装置において、
上記第２のコンテンツは少なくとも第２の映像を含んでいることが好ましい。
【００３１】
上記構成によれば、コンテンツ再生装置は第１のコンテンツに関連する情報を映像として再生できる。
【００３２】
（コンテンツ情報の合成）
また本発明に係るコンテンツ再生装置において、
上記第２のコンテンツ取得手段は、上記第２のコンテンツとともに上記第２のコンテンツに関する情報である第２のコンテンツ情報を取得し、
上記第２のユニットは、
上記第２のコンテンツ情報を上記第１のユニットに送信する、第２のコンテンツ情報送信手段をさらに備え、
上記第１のユニットは、
上記第２のユニットから送信された第２のコンテンツ情報を受信する第２のコンテンツ情報受信手段をさらに備え、
上記コンテンツ合成手段は、上記第１のコンテンツと、上記第２の映像および上記第２のコンテンツ情報の少なくともいずれかとを合成して上記合成コンテンツを生成することが好ましい。
【００３３】
上記構成によれば、第１のコンテンツに関連する情報として、第２の映像もしくは第２の映像に関する情報、またはその両方をユーザに視認させることができる。結果、ユーザに適した方法で第１のコンテンツに関する情報を第１の映像とともに再生できる。
【００３４】
（コンテンツ情報の詳細）
また本発明に係るコンテンツ再生装置において、
上記第２のコンテンツ情報は、上記第２の映像に関する情報であることが好ましい。
【００３５】
上記構成によれば、２つの異なる映像に加え、第２の映像に関する情報も同時にユーザに視認させることができる。結果、視認中の映像に対するユーザの理解をより深めることができる。
【００３６】
（第２のユニットは着脱可能）
また本発明に係るコンテンツ再生装置において、
上記第２のユニットは、上記第１のユニットから着脱可能であることが好ましい。
【００３７】
上記構成によれば、コンテンツ再生装置の拡張性および保守性をより高めることができる。
【００３８】
（第２のユニットは内蔵）
また本発明に係るコンテンツ再生装置において、
上記第２のユニットは、上記第１のユニットの筐体本体に内蔵されていることが好ましい。
【００３９】
上記構成によれば、第２のユニットを外部環境から守ることができる。
【００４０】
（プログラム、記録媒体）
なお、上記コンテンツ再生装置は、コンピュータによって実現してもよい。この場合、コンピュータを上記各手段として動作させることにより上記コンテンツ再生装置をコンピュータにおいて実現するプログラム、およびそのプログラムを記録したコンピュータ読み取り可能な記録媒体も、本発明の範疇に入る。
【発明の効果】
【００４１】
以上のように、本発明に係る表示装置は、２つの異なるユニット間の親和性を高め、第１のユニットの操作によって両者を連携して動作させることができるという効果を奏する。
【図面の簡単な説明】
【００４２】
【図１】本発明の一実施形態に係るＰＣ内蔵テレビの要部構成を示すブロック図である。
【図２】（ａ）は、本発明の一実施形態に係るＰＣ内蔵テレビを表示画面側から見た場合の外観を示す図であり、（ｂ）は、ＰＣ内蔵テレビを上から見た場合の外観を示す図である。
【図３】本発明の一実施形態に係るＰＣ内蔵テレビの詳細な内部構成を示すブロック図である。
【図４】（ａ）は、リモコンを使用してＰＣ内蔵テレビを操作する際の信号伝達の流れを図であり、（ｂ）は、入力装置（キーボードまたはマウス）を使用してＰＣ内蔵テレビを操作する際の信号伝達の流れを図である。
【図５】ＰＣ内蔵テレビが表示中のＴＶ番組の番組情報に関連するコンテンツを取得し、表示する際の情報処理の流れの一例を示すシーケンス図である。
【図６】ＴＶ番組の番組情報の一例を表す図である。
【図７】ＴＶ番組の基本情報の一例を表す図である。
【図８】取得した関連情報を表す図であり、（ａ）は未整理のまま記憶されている状態を表しており、（ｂ）は分類および解析後の状態を表している図である。
【図９】ＴＶ番組の映像およびその関連情報が表示されているディスプレイの画面の一例を示す図である。
【図１０】ＰＣ内蔵テレビにおける映像合成の流れの一例を示す図である。
【図１１】ディスプレイに表示される画面の各例を示す図である。
【図１２】ＰＣ内蔵テレビが、ＰＣ表示メニューの選択に応じてＰＣ子画面の表示を切り換える様子の一例を示す図である。
【図１３】ＰＣ内蔵テレビが、ＰＣ機能メニューを示す情報の選択結果に応じて、ＰＣ子画面を表示したりＰＣ子画面の表示位置を変更したりする様子の一例を示す図である。
【図１４】本発明のＰＣ内蔵テレビにおいてＴＶ全画面およびＰＣ子画面を表示する際の情報処理の流れの一例を示すシーケンス図である。
【図１５】図１４に示すシーケンス処理によってディスプレイに表示される画面の一例を示す図である。
【図１６】（ａ）は、着脱可能なＰＣユニットがＴＶユニットに装着された後のＰＣ内蔵テレビを表示画面側から見た場合の外観を示す図であり、（ｂ）は、着脱可能なＰＣユニットがＴＶユニットに装着される前のＰＣ内蔵テレビを背面側から見た場合の外観を示す図である。
【図１７】本発明の他の実施形態に係るＰＣ内蔵テレビの要部構成を示すブロック図である。
【図１８】着脱可能なＢＤユニットがＴＶユニットに装着された後のＢＤ内蔵テレビの外観例を示す図である。
【発明を実施するための形態】
【００４３】
本発明に係るＰＣ内蔵テレビ１の一実施形態について、図１〜図１０を参照して以下に説明する。
【００４４】
（ＰＣ内蔵テレビ１の外観）
まず、ＰＣ内蔵テレビ１の外観について、図２を参照して以下に説明する。図２（ａ）は、本発明の一実施形態に係るＰＣ内蔵テレビ１を表示画面側から見た場合の外観を示す図である。図２（ｂ）は、ＰＣ内蔵テレビ１を横（ＰＣユニット２０の設置側）から見た場合の外観を示す図である。
【００４５】
図２（ａ）および（ｂ）に示すように、ＰＣ内蔵テレビ１（コンテンツ再生装置）は、ＴＶユニット１０（第１のユニット）にＰＣユニット２０（第２のユニット）が設けられた構成の装置である。本実施形態のＴＶユニット１０は、液晶テレビジョン装置としての構成および機能を備えたサブユニット（サブシステム）である。一方、ＰＣユニット２０はいわゆるパーソナルコンピュータとしての構成および機能を備えたサブユニット（サブシステム）である。両者が一体化されて一つのＰＣ内蔵テレビ１を構成する。さらに両者は互いに連携して動作することによって、ユーザに対し、これまでにない充実したコンテンツ再生（視聴、閲覧）体験を提供する。
【００４６】
ユーザはリモコン９を使用してＰＣ内蔵テレビ１を操作する。リモコン９さえあれば、ＴＶユニット１０を操作して放送番組を視聴することができる。さらに、同じリモコン９を使用することによって、ＰＣユニット２０を操作して各種のソフトウェアアプリケーションを実行したり、インターネット上のウェブサイトにアクセスしてウェブページを閲覧したりすることができる。
【００４７】
（ＰＣ内蔵テレビ１の要部構成）
ＰＣ内蔵テレビ１の内部構成および機能について、図１を参照して以下に説明する。図１は、本発明の一実施形態に係るＰＣ内蔵テレビ１の要部構成を示すブロック図である。
【００４８】
図１に示すように、ＰＣ内蔵テレビ１のＴＶユニット１０は、映像出力部１１（コンテンツ再生手段）、音声出力部１２（コンテンツ再生手段）、コンテンツ処理部１３（コンテンツ再生手段）、コンテンツ合成部１４（コンテンツ合成手段）、コンテンツ取得部１５（第１のコンテンツ取得手段、放送波受信手段）、コンテンツ受信部１６（コンテンツ受信手段、第２のコンテンツ情報受信手段）、ユーザ入力部１７、情報通信部１８（第１のコンテンツ情報送信手段）および制御部１９を備えている。
【００４９】
一方、ＰＣユニット２０は、コンテンツ処理部２１、コンテンツ取得部２２（第２のコンテンツ取得手段）、コンテンツ送信部２３（コンテンツ送信手段、第２のコンテンツ情報送信手段）、記憶部２４（内部記憶装置）、情報通信部２５（第１のコンテンツ情報受信手段）、ユーザ入力部２６、制御部２７、アプリケーション実行部２８および取得条件設定部（条件設定手段）を備えている。
【００５０】
本実施形態のＰＣ内蔵テレビ１は、映像の合成機能を有している。具体的には、ＴＶユニット１０は、放送波（テレビ放送）を受信してデコードすることによって、ＴＶ番組（第１のコンテンツ）を取得する。ＰＣユニット２０は、ウェブページ、動画コンテンツ等などのＰＣコンテンツ（第２のコンテンツ）を取得しＴＶユニット１０に提供する。ＴＶユニット１０は、少なくともＴＶ番組内の映像（第１の映像）およびＰＣコンテンツ内の映像（第２の映像）やテキスト情報を合成して一つの合成映像を生成し、ディスプレイ２に出力する。これによりディスプレイ２は当該合成映像を表示する。ディスプレイ２は、たとえば液晶ディスプレイ、プラズマディスプレイ、有機ＥＬディスプレイとして実現される。
【００５１】
（ＴＶユニット１０の詳細）
ＴＶユニット１０に備えられる各ブロックの機能について、それぞれ以下に説明する。
【００５２】
映像出力部１１は、コンテンツ合成部１４から送られた映像信号をディスプレイ２に出力する。
【００５３】
音声出力部１２は、コンテンツ合成部１４から送られた音声信号をスピーカ３に出力する。
【００５４】
コンテンツ処理部１３は、コンテンツ取得部１５から入力されたコンテンツを処理する。本実施形態では、受信された放送波をデコードしてＴＶ番組を生成し、コンテンツ合成部１４に出力する。
【００５５】
コンテンツ合成部１４は、コンテンツ処理部１３から入力されたＴＶ番組、およびコンテンツ受信部１６がＰＣユニット２０から受信したＰＣコンテンツを合成して、一つの合成コンテンツを生成する。
【００５６】
コンテンツ取得部１５は、アンテナ４を通じて放送波を受信し、コンテンツ処理部１３に出力する。なお、放送波の受信方法はアンテナ４を通じたものに限定されない。コンテンツ取得部１５は、ケーブルテレビ放送網を通じて放送波を受信することもできる。他にも、インターネット８を通じてＩＰ放送データ（ＩＰ放送波）を受信することもできる。
【００５７】
コンテンツ受信部１６は、ＰＣユニット２０から送信されたＰＣコンテンツを受信し、コンテンツ合成部１４に出力する。
【００５８】
ユーザ入力部１７は、ユーザによるＰＣ内蔵テレビ１に対する入力操作を受け付ける。具体的には、たとえばユーザによる入力操作に応じてリモコン９が発した信号を受信し、制御部１９に出力する。他にも、ＴＶユニット１０本体へのユーザの直接操作によって発生せられた信号を受信することもできる。
【００５９】
情報通信部１８は、ＰＣユニット２０と様々な情報をやり取りする。具体的には、制御情報やＴＶ番組の番組情報（第１のコンテンツ情報）をＰＣユニット２０の情報通信部２５に送信したり、あるいは、情報通信部２５から送信された制御情報を受信したりする。
【００６０】
ここで制御情報には、たとえば、ＰＣユニット２０またはＴＶユニット１０を操作するための操作情報が含まれる。他にも、取得したコンテンツを他方のユニットに提供すべき旨を規定した情報が含まれる。さらに、コンテンツを取得するためのアクセス情報（リンク情報）を含んでいてもよい。
【００６１】
またＴＶ番組の番組情報には、コンテンツ取得部１５が受信したＴＶ番組の番組タイトル、ジャンル、登場人物、スポンサー等、ＴＶ番組に関するあらゆる情報が含まれる。
【００６２】
制御部１９は、ＴＶユニット１０を構成する各ブロックを統括制御する。
【００６３】
（ＰＣユニット２０の詳細）
ＰＣユニット２０を構成する各ブロックの機能について、以下に説明する。
【００６４】
コンテンツ処理部２１は、コンテンツ取得部２２が取得したＰＣコンテンツを処理する。
【００６５】
コンテンツ取得部２２は、外部からＰＣコンテンツを取得する。たとえば、コンテンツ取得部２２は、記録ディスク７（記録メディア）からＰＣコンテンツを取得してもよいし、インターネット（通信ネットワーク）８を介してＰＣ内蔵テレビ１に接続されているサーバ装置あるいはクライアント装置からＰＣコンテンツを取得してもよい。
【００６６】
ここで、ＰＣコンテンツとは、コンピュータによって処理され再生可能なコンテンツのことである。ＰＣコンテンツには、たとえば、静止画像および動画などの映像、音声、ならびにテキスト等が含まれ、さらにこれらの組み合わせからなるマルチメディアコンテンツも該当する。他にも、ウェブページもＰＣコンテンツに含まれる。また、ＰＣコンテンツに含まれるテキストは、ＰＣコンテンツのタイトル等のＰＣコンテンツに付随する情報（第２のコンテンツ情報）を含むものであってもよい。これらのＰＣコンテンツは各所から取得できる。取得先は、たとえばインターネット８上のウェブサイト、ＰＣ内蔵テレビ１に接続された外部記憶装置、および記録ディスク７である。
【００６７】
コンテンツ送信部２３は、コンテンツ処理部２１が処理したＰＣコンテンツをコンテンツ受信部１６へ送信する。
【００６８】
記憶部２４は、各種のＰＣコンテンツを記憶する。たとえば、ハードディスク、フラッシュメモリ等の不揮発性の記憶装置として実現される。記憶部２４には、ＰＣコンテンツ等に加えて、アプリケーション実行部２８によって実行される各種のソフトウェアアプリケーションが記憶されている。記憶部２４には、他にも、コンテンツ取得部２２がＰＣコンテンツを取得する際の条件が記憶されている。また、記憶部２４は、ＴＶユニット１０から送信された番組情報を記憶する。
【００６９】
情報通信部２５は、情報通信部１８と制御情報のやり取りをする。具体的には、制御情報をＴＶユニット１０の情報通信部１８に送信したり、あるいは、情報通信部１８から送信された制御情報を受信したりする。さらに情報通信部２５は、情報通信部１８から送信されたＴＶ番組の番組情報を受信したりする。
【００７０】
ユーザ入力部２６は、ユーザによるＰＣ内蔵テレビ１に対する入力操作を受け付ける。具体的には、ユーザによる入力操作に応じて操作装置（本実施形態ではマウス５およびキーボード６）が発した信号を受信して、制御部２７に出力する。当該操作装置の他の例として、トラックボールおよびトラックパッドなどのポインティングデバイス、ならびにジョイスティックも含まれる。
【００７１】
制御部２７は、ＰＣユニット２０における各種動作を制御する。
【００７２】
アプリケーション実行部２８は、記憶部２４に記憶されているソフトウェアアプリケーションを読み出して、実行する。
【００７３】
取得条件設定部２９は、記憶部２４に予め記憶されている条件に従って、コンテンツ取得部２２が番組情報を利用してＰＣコンテンツを取得する際の条件を設定する。予め設定された条件とは、たとえば、「スポンサーに関する」、および「俳優に関する」等である。これらの条件は、例えば、キーボード６を用いて入力することができる。
【００７４】
（ＰＣ内蔵テレビ１の詳細な内部構成）
次に、ＰＣ内蔵テレビ１の詳細な内部構成について、図３を参照して説明する。図３は、本発明の一実施形態に係るＰＣ内蔵テレビ１の詳細な内部構成を示すブロック図である。図１に示す各機能ブロックは、図３に示す各ブロックのいずれかまたはその組み合わせによって実現される。
【００７５】
ＲＦ（Ｒａｄｉｏ  Ｆｒｅｑｕｅｎｃｙ）受信部１０１は、外部から送られてくる信号を受信する。すなわち、ＲＦ受信部１０１は、たとえば、地上波デジタル放送により伝送される映像信号等のデジタル放送信号を受け付ける映像信号入力部である。なお、ＲＦ受信部１０１が受信する信号は、地上波デジタル放送として送られてくる信号に限定されるものではなく、たとえば、一般のアナログ放送、衛星放送、またはケーブルテレビ放送等により伝送される映像信号等であってもよい。
【００７６】
ＲＦ受信部１０１が受信する映像信号の形式としては、たとえば、デジタル放送の場合はＭＰＥＧ２またはＭＰＥＧ４等のシステムとしてデジタル化された映像信号が挙げられる。また、ＲＦ受信部１０１に入力される信号は、これらの映像信号に限定されるものではなく、たとえば、デジタル化されたオーディオ信号、データ放送、電子番組表情報またはネットワーク情報などのデジタル放送信号（放送波）であってもよい。
【００７７】
デモジュレータ１０２は、ＲＦ受信部１０１に入力されたデジタル放送信号を復調し、デコーダ１０３に送る。
【００７８】
デコーダ１０３は、たとえばＭＰＥＧ２ＴＳなどの復調された信号を、ビデオ成分（信号）とオーディオ成分（信号）とに分解する。また、デコーダ１０３は、分解した信号のうちビデオ信号をデコードし、オーディオ信号をオーディオプロセッサ１０４に送る。このとき、オーディオ信号に付随するデータは、ＣＰＵ（Ｃｅｎｔｒａｌ  Ｐｒｏｃｅｓｓｉｎｇ  Ｕｎｉｔ）１０９に送られ、そこで処理される。
【００７９】
オーディオプロセッサ１０４は、デコーダ１０３から受け取ったオーディオ信号をデコードする。なお、オーディオ信号には多数のフォーマットがあるため、通常、オーディオ信号のデコード処理はオーディオプロセッサ１０４にて行う。しかしながら、これに限定されるものではなく、デコーダ１０３またはＣＰＵ１０９において、オーディオ信号をデコードしてもよい。処理されたオーディオ信号は、スピーカ１０５に送られる。
【００８０】
スピーカ１０５は、オーディオプロセッサ１０４においてデコードされたオーディオ信号を出力する。なお、本実施形態では、表示部１１２およびスピーカ１０５を備えたテレビの形態を示すが、これに限定されるものではなく、たとえば、ＢＤ（Ｂｌｕ-ｒａｙ  Ｄｉｓｋ）レコーダまたはＳＴＢ（Ｓｅｔ  Ｔｏｐ  Ｂｏｘ）などの場合、スピーカ１０５の代わりに、外部機器にオーディオ信号を出力してもよい。
【００８１】
リモコン通信部１０６は、図示しないリモコンからの制御信号を受信する。制御信号を送信するリモコンとしては、たとえば、１方向に信号を送信する赤外線リモコン、または双方向に信号を送信する無線リモコンが挙げられる。リモコン通信部１０６が受信した制御信号は、ＣＰＵ１０９に送られる。
【００８２】
外部入力部１０７は、ＰＣユニット２０の映像出力部２０８から出力された信号を受信する。外部入力部１０７としては、たとえば、ＨＤＭＩインターフェースまたはＤＶＩ・Ｄ端子などが挙げられる。また、外部入力部１０７が受信する信号は、デコードされたデータまたは圧縮形式のデータ（たとえば、ＭＰＥＧ４等）を含む。
【００８３】
外部入力部１０７が受信したオーディオ信号は、オーディオプロセッサ１０４に出力される。一方、外部入力部１０７が受信した映像信号は、グラフィックメモリ１１０に出力され、展開される。また、たとえば、外部入力部１０７が受信した映像信号が圧縮画像である場合、受信した映像信号はデコード１０３を一旦経由してグラフィクメモリ１１０に送られる。なお、デコード１０３を経由するか否かによって、グラフィックメモリ１１０に出力される映像信号に本質的な差異はない。
【００８４】
メモリ１０８は、プログラムまたはデータを格納するメモリである。
【００８５】
ＣＰＵ１０９は、ＴＶユニット１０全体の制御を行うＣＰＵである。
【００８６】
グラフィックメモリ１１０は、２つ以上の映像および表示データを保持する。表示データとしては、たとえば、データ放送、およびＯＳＤ（オンスクリーンディスプレイ）データ、および設定メニュー等のデータが挙げられる。グラフィックメモリ１１０は、複数のプレーンからなり、それぞれのプレーンを重ね合わせたり、アルファブレンディングを行ったりすることが可能である。
【００８７】
グラフィックコントローラ１１１は、グラフィックメモリ１１０に保持される映像および表示データを合成して、１画面を作成する。すなわち、グラフィックコントローラ１１１は、ＣＰＵ１０９からの制御に応じて、たとえば、複数のプレーンの拡大縮小または位置設定などを行い、合成して最終画面を作り出す。この最終画面は、表示部１１２へ送られる。
【００８８】
表示部１１２は、グラフィックコントローラ１１１から受け取った映像を表示する。たとえば液晶パネルなどの表示デバイスに映像を表示してもよいし、外部機器に映像データを出力してもよい。
【００８９】
ＬＡＮ（Ｌｏｃａｌ  Ａｒｅａ  Ｎｅｔｗｏｒｋ）コントローラ１１３は、ネットワークを通じて外部機器と接続する。ＬＡＮコントローラ１１３は、ＤＬＮＡ（Ｄｉｇｉｔａｌ  Ｌｉｖｉｎｇ  Ｎｅｔｗｏｒｋ  Ａｌｌｉａｎｃｅ）などのホームネットワーク規格によって他の機器と接続しても、インターネット８を通じて映像サービスと接続してもよい。また、外部機器との接続は、有線または無線のどちらでもよい。なお、ＬＡＮコントローラ１１３から取得された映像信号は、特に限定されないが、ＲＦ受信部１０１を通じて取得された映像信号と同様に扱うことが好ましい。
【００９０】
Ｉ／Ｆ部１１４は、ＬＡＮ、ＵＳＢ（Ｕｎｉｖｅｒｓａｌ  Ｓｅｒｉａｌ  Ｂｕｓ）またはシリアル等を制御するインターフェース部である。Ｉ／Ｆ部１１４では、制御情報をＰＣユニット２０とやり取りする。なお、Ｉ／Ｆ部１１４における制御情報の送受信方式は、特に限定されない。
【００９１】
電源部１１５は、ＴＶユニット１０における電源回路である。また、電源部２０４は、ＰＣユニット２０における電源回路である。これらの電源部１１５，２０４は、共通の電源１５０から電力の供給を受ける。この際、１つのＡＣプラグによって電力の供給を受けることが望ましい。
【００９２】
入力部２０１は、外部からの入力を受け付ける。このように、ＰＣユニット２０は、独自の入力部が存在し得る。入力部２０１としては、たとえば、Ｂｌｕｅｔｏｏｔｈ（登録商標）のワイヤレスキーボードまたはワイヤレスマウス等を利用できることが好ましい。
【００９３】
ＩＯプロセッサ２０２は、各種外部インターフェースを制御する。
【００９４】
ＬＡＮコントローラ２０３は、ＩＰネットワークと接続する。なお、ＬＡＮコントローラ１１３とＬＡＮコントローラ２０３とは、互いに１つのＩＰアドレスを共用することが好ましい。また、ＴＶユニット１０およびＰＣユニット２０において、それぞれ個別のＬＡＮコントローラ１１３，２０３を備えている場合、ＰＣ内蔵のテレビ１の内部においてブリッジ機能を有することが好ましい。これにより、たとえば、有線ＬＡＮを接続する場合に、１つのＬＡＮケーブルを挿すだけで、ＴＶユニット１０およびＰＣユニット２０を同時にネットワークに接続させることができる。
【００９５】
メモリ２０５は、各種制御を行うＣＰＵ２０６のメモリである。
【００９６】
ＣＰＵ２０６は、ＰＣユニット２０に含まれる各ブロックを統括的に制御する。たとえば、圧縮されたＰＣコンテンツをソフトウェア的にデコードして、元のサイズのＰＣコンテンツに変換する。本実施形態において、ＰＣユニット２０は、ＴＶユニット１０におけるデコーダ１０３のようなハードウェアを備えていない。しかしながら、これに限定されるものではなく、たとえば、ＰＣユニット２０がデコーダ１０３のようなハードウェアを備えていてもよい。
【００９７】
グラフィックコントローラ２０７は、映像描画時のグラフィック処理を高速化する。
【００９８】
映像出力部２０８は、グラフィックコントローラ２０７によって処理された映像信号を出力する。出力される映像信号の形式としては、たとえばＨＤＭＩ規格のインターフェースを介して出力可能な形式などを挙げることができる。なお、オーディオ信号も映像信号と同様に、ＴＶユニット１０に出力される。
【００９９】
記憶部２０９は、インターネット８または記録ディスク７を通じて取得されたＰＣコンテンツ等を恒久的に記憶する。記憶部２０９としては、たとえば、ハードディスク、ＢＤ、ＤＶＤ（Ｄｉｇｉｔａｌ  Ｖｅｒｓａｔｉｌｅ  Ｄｉｓｋ）またはＵＳＢメモリ等が挙げられる。ＣＰＵ２０６は、ネットワークを経由して取得した映像、または記憶部２０９に記憶されている映像を再生し、ＴＶユニット１０に送信する。
【０１００】
ここで、映像とは、動画に限定されるものではなく、音楽、書籍、写真、スライドショー、ワープロドキュメント、またはゲーム等のアプリケーションが作成する画面が挙げられる。
【０１０１】
（ＰＣ内蔵テレビ１の操作方法）
図４（ａ）は、リモコン９を使用してＰＣ内蔵テレビ１を操作する際の信号伝達の流れを示す図である。図４（ｂ）は、入力装置（キーボード６またはマウス５）を使用してＰＣ内蔵テレビ１を操作する際の信号伝達の流れを示す図である。
【０１０２】
上述したように、ユーザは、リモコン９を使用してＴＶユニット１０およびＰＣユニット２０の両方を操作できる。ユーザの入力に応じてリモコン９が発信する信号（操作信号）は、ユーザ入力部１７を経由して制御部１９に入力される。制御部１９は、操作信号を解析することによって、ＴＶユニット１０を操作するための信号か、またはＰＣユニット２０を操作するための信号なのかを判定する。前者だと判定した場合には、操作信号の内容に応じて、ＴＶユニット１０内の各ブロックを制御する。これらの処理の結果、ユーザはリモコン９を使用してＴＶユニット１０を操作できる。
【０１０３】
一方、制御部１９が、操作信号がＰＣユニット２０を操作するための信号だと判定した場合には、ＰＣユニット２０を制御するための制御情報を生成し、情報通信部１８を通じてＰＣユニット２０に送信する。この制御情報は情報通信部２５を経由してＰＣユニット２０の制御部２７に入力される。ＰＣユニット２０は、入力された制御情報に基づき、ＰＣユニット２０内の各ブロックを制御する。これらの処理の結果、ユーザは、リモコン９を使用してＰＣユニット２０を操作できる。
【０１０４】
また、上述したように、ユーザは、マウス５またはキーボード６（以下、操作装置と総称）を使用して、ＰＣユニット２０およびＴＶユニット１０の両方を操作できる。ユーザの入力に応じて操作装置が発信する信号（操作信号）は、ユーザ入力部２６を経由して制御部２７に入力される。制御部２７は、操作信号を解析することによって、ＰＣユニット２０を操作するための信号か、またはＴＶユニット１０を操作するための信号なのかを判定する。前者だと判定した場合には、操作信号の内容に応じて、ＰＣユニット２０内の各ブロックを制御する。これらの処理の結果、ユーザは操作装置を使用してＰＣユニット２０を操作できる。
【０１０５】
一方、制御部２７は、操作信号がＴＶユニット１０を操作するための信号だと判定した場合には、ＴＶユニット１０を制御するための制御情報を生成し、情報通信部２５を通じてＴＶユニット１０に送信する。この制御情報は情報通信部１８を経由してＴＶユニット１０の制御部１９に入力される。制御部１９は、入力された制御情報に基づき、ＴＶユニット１０内の各ブロックを制御する。これらの処理の結果、ユーザは、操作装置を使用してＴＶユニット１０を操作できる。
【０１０６】
以上のように、本実施形態のＰＣ内蔵テレビ１は、１つの操作装置を使用して、まったく異なる機能を持った２つのユニット（ＴＶユニット１０、ＰＣユニット２０）を操作できる。特に、ＰＣユニット２０の操作がリモコン９によって可能になる点は、ユーザにとってのメリットが大きい。マウス５またはキーボード６に比べて、リモコン９の操作は洗練され、直感的で分かりやすいからである。したがって、本実施形態のＰＣ内蔵テレビ１を使用するユーザは、ＰＣユニット２０によって提供される各種のサービス（アプリケーションの実行、ウェブページの閲覧）を、汎用のパーソナルコンピュータを用いる場合よりも手軽に体験できる。
【０１０７】
（ＰＣコンテンツの取得）
図５は、本発明のＰＣ内蔵テレビ１においてＴＶ番組を視聴しているときに、このＴＶ番組の番組情報に関連する情報である関連情報をＰＣコンテンツとして取得する際の情報処理の流れの一例を示すシーケンス図である。
【０１０８】
図５のシーケンス図では、まずＴＶユニット１０がＴＶ番組を表示する（ステップＳ２０）。このＴＶ番組は、ＴＶユニット１０が放送局から放送波を受信してデコードすることにより、取得したものである。ＴＶ番組を取得して表示したら、ＴＶユニット１０は表示中のＴＶ番組の番組情報を取得する（ステップＳ２１）。図６は、番組情報の一例を表す図である。図６に示すように、番組情報とは、番組名、放送時間、出演者およびスポンサー等の番組に関する情報である。デジタル放送の場合には、通常は番組情報が放送波に付加されているため、放送波を受信することにより番組情報を同時に取得することができる。アナログ放送および外部入力などのＴＶ番組である場合、またはデジタル放送でも番組情報が取得できなかった場合（ステップＳ２２のＮＯ）には、ＴＶユニット１０は番組の基本情報（第１のコンテンツ情報）を取得する（ステップＳ２３）。図７は、番組の基本情報の一例を表す図である。図７に示すように、番組の基本情報とは、視聴地域、仮想チャンネルおよび物理チャンネル等である。本実施形態では、ＴＶユニット１０が番組情報を取得した場合について説明する。ＴＶユニット１０が番組情報を取得すると、その番組情報をＰＣユニット２０に送信する（ステップＳ２４）。
【０１０９】
ＰＣユニット２０は、ＴＶユニット１０から送られた番組情報を受信すると、受信した番組情報を記憶部２４に保存する（ステップＳ２５）。次いで、予め設定された条件に従って番組情報の中からキーワードを選択し、インターネット８を介してサービスサーバ３０（外部装置）に送信し、キーワードに関連する情報をサービスサーバ３０にリクエストする（ステップＳ２６）。サービスサーバ３０はキーワードに関連する情報となる関連情報をＰＣ内蔵テレビ１に送信し、ＰＣユニット２０がこれを受信する（ステップＳ２７）。
【０１１０】
ＰＣユニット２０は、関連情報を受信すると（ステップＳ２８のＹＥＳ）、これを記憶部２４の別の領域に保存する（ステップＳ２９）。図８は取得した関連情報を表しており、図８（ａ）は未整理のまま保存されている状態を表している。ＰＣユニット２０は、取得した関連情報を分類および解析する（ステップＳ３０）。図８（ｂ）は解析後の保存状態を表した図である。ＰＣユニット２０は、解析結果に基づき、関連情報を画面に表示する情報形式に成形し、映像および音声を生成する（ステップＳ３１）。上記までの処理が完了すると、ＰＣユニット２０は、関連情報の映像および音声をＴＶユニット１０に送信する（ステップＳ３２）。
【０１１１】
以上のようにして、ＴＶユニット１０は、表示しているＴＶ番組に関連する情報を取得する。
【０１１２】
なお、ＴＶユニット１０はその後、ＴＶ番組の映像および音声と、関連情報の映像および音声とをそれぞれ合成し（ステップＳ３３）、ディスプレイおよびスピーカに出力する（ステップＳ３４）。
【０１１３】
図９は、ＴＶ番組と、このＴＶ番組の情報に関連したＰＣコンテンツとを合成して表示した一例である。ＰＣ表示領域３３ａ〜３３ｄは、それぞれが異なるＰＣコンテンツの映像を表示しているＰＣ子画面であってもよく、サムネイルであってもよい。また映像とともに映像のタイトルなどのテキスト情報がＰＣコンテンツとして含まれている場合には、タイトル等、関連情報の内容を表示しているメニュー項目であってもよい。
【０１１４】
上述の実施形態では、ＴＶユニット１０が番組情報を取得できた場合について説明したが、番組情報の代わりに番組の基本情報を取得した場合について、以下、説明する。
【０１１５】
ＴＶユニット１０が番組情報の代わりに番組の基本情報を取得した場合には、上記ステップＳ２４において、番組情報の代わりに基本情報をＰＣユニット２０に送信する。ＰＣユニット２０は、まず、送られてきた基本情報に基づき番組情報をサービスサーバ３０にリクエストする。サービスサーバ３０は基本情報に基づき番組情報をＰＣ内蔵テレビ１に送信し、ＰＣユニット２０がこれを受信する。次いでＰＣユニット２０は、番組情報に基づき関連情報をサービスサーバ３０にリクエストすればよい（ステップＳ２６）。以上のように、ＴＶユニット１０が番組情報の代わりに番組の基本情報を取得した場合であっても、ＴＶユニット１０は表示中のＴＶ番組に関連する関連情報を取得できる。
【０１１６】
（映像合成の流れの例）
ＰＣ内蔵テレビ１における、複数の映像の合成および表示処理の流れについて、図１０を参照して説明する。図１０は、ＰＣ内蔵テレビ１における映像合成および表示の流れの一例を示す図である。
【０１１７】
この図に示すように、ＰＣユニット２０のコンテンツ取得部２２は、関連情報の映像５０（第２のコンテンツに含まれる第２の映像）およびこの関連情報の内容を表す情報５２（第２のコンテンツ情報）を取得する。取得先はたとえばインターネット８または記録ディスク７である。これらの映像５０および情報５２は、コンテンツ取得部２２、コンテンツ処理部２１、およびコンテンツ送信部２３を経由してＴＶユニット１０に送信される。ＴＶユニット１０では、コンテンツ受信部１６を経由してコンテンツ合成部１４に提供される。
【０１１８】
一方、ＴＶユニット１０のコンテンツ取得部１５は、ＴＶ番組の映像５４（第１のコンテンツに含まれる第１の映像）を取得する。取得先はたとえば放送局である。この映像５４は、コンテンツ取得部１５、コンテンツ処理部１３を経由してコンテンツ合成部１４に提供される。なお、ＰＣユニット２０には、ＴＶユニット１０から、映像５０をＴＶユニット１０に提供すべきことを規定した制御情報が事前に送信されている。ＰＣユニット２０は、この制御情報の受信に応じて映像５０および情報５２をＴＶユニット１０に提供する。
【０１１９】
コンテンツ合成部１４は、入力された映像５０、情報５２、および映像５４を合成して１つの合成映像（合成コンテンツ）を生成する。本実施形態ではグラフィックメモリ１１０を利用し、３つのプレーンのそれぞれにデータを書き込む。具体的には第１のプレーンに映像５０、第２のプレーンに映像５４、そして第３のプレーンに情報５２を書き込む。こうして得た３つのプレーンを重ね合わせ、図５に示す１つの合成映像を生成する。この合成映像は映像出力部１１を経由してディスプレイ２に入力される。これらの処理の結果、ユーザはディスプレイ２を通じて当該合成映像を視認する。結果、ＴＶ番組を視聴しながらそのＴＶ番組に関連する関連情報の映像等をサブ画面で楽しむ、といったことが可能になる。
【０１２０】
（ディスプレイ２に表示される画面の例）
図１１は、ディスプレイ２に表示される画面の各例を示す図である。
【０１２１】
図１１（ａ）では、ＴＶ全画面６０のみがディスプレイ２の全面に表示されている。このとき、リモコン９に設けられた「ＰＣボタン」をユーザが押下することにより、図１１（ａ）の画面が図１１（ｂ）のそれに切り替わる。図１１（ｂ）では、ＴＶ主画面６１、ＰＣ表示メニュー６２〜６５、およびＰＣ子画面６６がディスプレイ２に表示されている。ユーザは、ＴＶユニット１０によって再生されるＴＶ番組の視聴を中心にＰＣ内蔵テレビ１を使用する。一方、視聴中のＴＶ番組に関連する関連情報の映像等は補助的に視聴する。
【０１２２】
図１１（ｂ）の画面が表示されているとき、リモコン９に設けられた「ＰＣボタン」をユーザが押下することにより、図１１（ｂ）の画面が図１１（ｃ）のそれに切り替わる。図１１（ｃ）では、ＴＶ画面の表示位置とＰＣ画面の表示位置とが入れ替わる。具体的には、ＴＶ主画面６１の表示位置にＰＣ主画面６９が表示され、一方、ＰＣ子画面６６の表示位置にＴＶ子画面６８が表示される。これらの処理によって、ユーザは、ＰＣユニット２０の操作およびその操作によって再生される関連情報の視聴を中心にＰＣ内蔵テレビ１を使用する。一方、ＴＶ番組は補助的に視聴する。たとえば、ＴＶ番組がコマーシャルを流している間、ＰＣ主画面６９を表示させ、視聴しているＴＶ番組に関連する関連情報を主に視聴する。
【０１２３】
図１１（ｃ）の画面が表示されている時、ユーザがＰＣ表示メニュー６２〜６５におけるその他のメニューを選択すれば、図１１（ｄ）に示すように、ＰＣ子画面６８を最大化することもできる。すなわち、ＰＣ全画面６７がディスプレイ２に表示される。なお、ユーザが「ＰＣボタン」を押下した場合も、同様に、図１１（ｄ）の表示に切り替わる。
【０１２４】
（ＰＣ画面の切り換えの例）
図１２は、ＰＣ内蔵テレビ１が、ＰＣ表示メニューの選択に応じてディスプレイ２におけるＰＣ子画面の表示を切り換える様子の一例を示す図である。
【０１２５】
図１２（ａ）では、ディスプレイ２に、ＴＶ主画面６１、ＰＣ表示メニュー項目７１〜７４、およびＰＣ子画面７５を表示している。ＰＣ子画面７５は、ＰＣ表示メニュー項目７１〜７４の何れかを選択した時に表示される。ここで、ユーザがメニュー項目７２を選択した時、図１２（ｂ）に示すように、ＰＣ表示メニュー項目７２に示される関連情報に関するＰＣ子画面７６が直ちに表示される。ここで、ＰＣ表示メニュー項目７１〜７４は、取得した関連情報のタイトルであってもよいし、番組のスポンサー名であってもよいし、この関連情報に含まれる映像そのものであってもよい。
【０１２６】
（ＰＣ機能メニューの選択に応じた処理の例）
ＰＣ内蔵テレビ１は、ＴＶ番組の関連情報をＰＣコンテンツとして表示する他にも、予め記憶されているＰＣ機能のメニューを表すＨＴＭＬ形式のデータを処理することによって、ＰＣ機能メニューをディスプレイ２に表示することも可能である。この場合、選択された項目に対応するリンク情報に応じた処理を実行し、これにより得られたＰＣコンテンツの映像を表示できる。この具体例について、図１５を参照して以下に説明する。
【０１２７】
図１３は、ＰＣ内蔵テレビ１が、ＰＣ機能メニューを示す情報の選択結果に応じて、ＰＣ子画面を表示したりＰＣ子画面の表示位置を変更したりする様子の一例を示す図である。
【０１２８】
図１３（ａ）の例では、ＰＣ内蔵テレビ１は、メニューデータ８０を処理してＰＣ機能メニューを表示する。メニューデータ８０には、リンク情報８１およびリンク情報８２を含む４つのリンク情報が含まれている。各リンク情報は、項目名（グルメ、検索、ゲーム等）に個別に対応している。
【０１２９】
ここで、ユーザが「グルメ」項目を選択したとする。このときＰＣ内蔵テレビ１は、この項目に対応したリンク情報８１を処理する。具体的には、リンク情報（アクセス情報）８１が示すウェブサイト（通信ネットワーク上の外部装置）にアクセスし、サーバが返信してくるウェブページ（第２のコンテンツ）を取得して、ＰＣ子画面８４に表示する。なお、このときＴＶ主画面８３も同時に表示する。
【０１３０】
一方、ユーザが「ゲーム２（サイズ指定）」項目を選択したとする。このときＰＣ内蔵テレビ１は、この項目に対応したリンク情報８２を処理する。具体的には、リンク情報８２が示すゲームアプリケーションを起動し、このアプリケーションが出力するコンテンツ（第２のコンテンツ、第２の映像）をＰＣ子画面８５に表示する。このとき、リンク情報８２に規定されている表示制御情報を参照して、ＰＣ子画面８５の表示位置およびサイズを決定する。なお、ディスプレイ２にはＴＶ主画面８３も同時に表示する。ＴＶ主画面８３のサイズは、ディスプレイ２の画面サイズからＰＣ子画面８５のサイズを演算（たとえば減算）して得た値に基づき決定する。
【０１３１】
（画面表示処理の流れの例）
ＰＣコンテンツとしてアプリケーションの実行により生成される映像を表示する際の情報処理の流れについて、以下説明する。
【０１３２】
図１４は、本発明のＰＣ内蔵テレビ１においてＴＶ全画面およびＰＣ子画面を表示する際の情報処理の流れの一例を示すシーケンス図である。図１５は、図１４に示すシーケンス処理によってディスプレイ２に表示される画面の一例を示す図である。
【０１３３】
図１４の処理が始まる前の前提として、ＴＶユニット１０は、事前に、放送局から放送波を受信してデコードし、ＴＶ番組を取得済みである。また、各種のＴＶ番組に関する番組情報を、放送波の受信に合わせて随時受信している。番組情報としては、たとえばデータ放送、電子番組表、字幕、クローズドキャプション、ネットワークからの情報、現在視聴しているチャネルを表す情報、ユーザの居住地域を表す情報などがある。
【０１３４】
図１４のシーケンスでは、まずＴＶユニット１０がＴＶ主画面６１を表示する（ステップＳ１）。次にユーザがリモコン９を用いてＰＣ表示コマンドを入力する（ステップＳ２）。この入力に基づきＴＶユニット１０はメニュー情報をＰＣユニット２０にリクエストする（ステップＳ３）。ＰＣユニット２０は受信したリクエストをサービスサーバ（外部装置）に転送する（ステップＳ４）。サービスサーバはメニュー情報をＰＣ内蔵テレビ１に送信し（ステップＳ５）、これをＰＣユニット２０が受信する。ＰＣユニット２０は受信したメニュー情報をＴＶユニット１０に転送する（ステップＳ６）。ＴＶユニット１０は、受信したメニュー情報を処理してメニュー６２〜６５をディスプレイ２に表示する（ステップＳ７）。さらに、ＰＣ子画面６６を表示する（ステップＳ８）。
【０１３５】
ユーザは、リモコン９を用いてメニュー項目のいずれかを選択する（ステップＳ９）。ＴＶユニット１０は、選択されたメニュー項目を表す選択情報をＰＣユニット２０に送信する（ステップＳ１０）。ＰＣユニット２０は、受信した選択情報によって特定されるソフトウェアアプリケーションを実行する（ステップＳ１１）。この実行時にアプリケーションが生成した映像をＴＶユニット１０に送信する。なお、ＰＣユニット２０は、アクセス履歴、購買履歴、コンテンツ視聴履歴、アクセス時刻、アクセス時間等の各種ＰＣコンテンツ情報も、ＴＶユニット１０に送信する。ＴＶユニット１０は、受信した映像をＰＣ子画面７５に表示する。結果、ＰＣ子画面７５の表示が変化する（ステップＳ１２）。
【０１３６】
このときＴＶユニット１０は、ＴＶ番組の関連情報を、メニュー項目６２〜６５のいずれかに表示してもよい。図１５の例ではメニュー項目６５がその例である。すなわちＰＣ内蔵テレビ１は、関連情報およびアプリケーションが出力するＰＣコンテンツ情報を用いて、表示メニューを適応的に切り換える。なお、このような適応的なメニューの生成は、ＴＶユニット１０に限らずＰＣユニット２０またはサービスサーバが実行することもできる。この場合、ＴＶユニット１０は生成されたメニューをＰＣユニット２０から取得しディスプレイ２に表示する。
【０１３７】
以上に説明したほか、ＰＣ内蔵テレビ１には次のような様々な工夫が可能である。
【０１３８】
（メニュー表示の工夫）
ＰＣ内蔵テレビ１では、カテゴリの分類および操作を直感的に分かり易くする。これにより、コンピュータの初心者であっても、ＰＣ内蔵テレビ１を簡単に操作することができる。ＴＶ番組に関連する関連情報を表示する他に、ポータルウェブサイトを踏襲したカテゴリに対応したメニュー項目を一覧にして表示することもできる。これによりユーザは、普段使用しているコンピュータと同じ操作によって、同様にメニュー項目を選択できる。
【０１３９】
ＰＣ内蔵テレビ１は、フォーカス中のメニュー項目に応じたコンテンツをＰＣ子画面に表示する。そのためユーザがコンテンツを選択するたびに、ＰＣ子画面に表示されている映像が切り換わる。結果、ユーザは直感的にコンテンツを選択できる。なお、初期設定として、ユーザにとって魅力的なウェブサイトを予め用意しておくことが好ましい。
【０１４０】
さらにＰＣ内蔵テレビ１にはカテゴリの一種として「便利機能」というメニュー項目がある。ユーザは、使用頻度の高いソフトウェアアプリケーションをこの便利機能に登録できる。なお、ＴＶ画面に表示されるメニュー項目の表示順位は、コンテンツプロバイダーに応じて変更してもよい。さらに、表示順位に応じて決まる掲載料金を、コンテンツプロバイダーから徴収するビジネスも可能になる。
【０１４１】
ＰＣ内蔵テレビ１は、ディスプレイ２にたとえばユーザがよく利用するウェブサイトへのリンクをカテゴリ別に分類して項目として表示する。この結果、インターネット８上のウェブサイトへアクセスする際の入り口として、ＰＣ機能メニューを活用できる。ユーザは、ＰＣ主画面６９に切り換える設定等をすることなく、ＴＶ主画面６１を通じて放送番組を視聴中に、この入り口（ＰＣ機能メニュー）から項目を選択することによって、インターネットに直接アクセスできる。これらの工夫によって本発明は、コンピュータの初心者から上級者に至るまで、ＰＣ内蔵テレビ１に対する購入意欲を高めることができる。
【０１４２】
メニュー項目の具体例として、検索ウェブサイト、ウェブログ、ＳＮＳ（Ｓｏｃｉａｌ  Ｎｅｔｗｏｒｋｉｎｇ  Ｓｅｒｖｉｃｅ）、一般情報（たとえば、ニュース、天気、交通情報または路線案内）、暮らしの情報（たとえば、病気、地域情報または子育て）、食べ物（たとえば、飲食店またはレシピ集）、学習（たとえば、辞書または子供の教育）、趣味（たとえば、株、旅行、ショッピングまたはファッション）、または娯楽（たとえば、ゲーム、動画ウェブサイトまたは音楽ダウンロードウェブサイト）などが挙げられる。
【０１４３】
ユーザは、次の手順によって、上述したカテゴリごとのウェブサイトに接続できる。まず、画面上に表示されたカテゴリ別のＰＣ機能メニューの中から、所望のカテゴリに関するメニュー項目を選択する。次に、選択した項目のカテゴリに属するウェブサイトのＵＲＬリストが表示されるので、当該ＵＲＬリストの中から所望のウェブサイトを選択する。具体的には、画面上にＴＶ主画面、複数のメニュー項目、およびＰＣ子画面が表示されているとき、ユーザがリモコン操作によって所望のカテゴリのメニュー項目を選択する。その後、たとえばＰＣ主画面を表示するように選択すれば、画面上ではＰＣ画面が大きくなり、インターネット視聴用に切り換わる。
【０１４４】
（利用サービスの多様性）
ＰＣ内蔵テレビ１のユーザは、従来の汎用コンピュータによって利用可能なインターネットサービスを、全てＰＣ内蔵テレビ１においても利用できる。完全なコンピュータとして機能し、ＴＶユニット１０と連携して動作するＰＣユニット２０が、ＰＣ内蔵テレビ１に備えられているからである。したがってＰＣ内蔵テレビ１は、従来のように限られたインターネットサービスしか利用できないネットテレビに比べて、その活用範囲は遥かに広い。
【０１４５】
（大画面化による利点）
ディスプレイ２にＰＣ全画面を表示した場合、ユーザは、ＰＣユニット２０をマウス５またはキーボード６を使用して操作できる。ディスプレイ２を大画面としたＰＣ内蔵テレビ１では、ユーザは、ＰＣコンテンツを大画面かつ高画質のディスプレイ２を通じて楽しむことができる。従来のコンピュータではこのような用途のためにはＰＣ本体の他に別途大画面のディスプレイを用意する必要があった。しかしＰＣ内蔵テレビ１はこれ一台で、コンピュータも大いに活用するパワーユーザの要望をも満たすことができる。特にＰＣユニット２０はコンピュータであるため各種の周辺機器と連携して機能を柔軟に追加することが可能であり、こうした機能追加によって得られる利点を、大画面かつ高画質の表示を通じてユーザに実感させることができる。
【０１４６】
（電源の連動）
ユーザは、ＰＣユニット２０を起動するための煩雑な操作をしなくてもよい。ＰＣ内蔵テレビ１において、ＴＶユニット１０の電源と、ＰＣユニット２０の電源とが連動するからである。すなわち、ＴＶユニット１０の電源を入れると同時にＰＣユニット２０の電源も入る。ＴＶユニット１０の起動完了後、ユーザは直ちに放送番組の視聴が可能になる。一方、その後もＰＣユニット２０の起動処理は続く。ＴＶユニット１０よりもＰＣユニット２０の方が、起動の完了に要する時間が長いからである。ユーザは、ＰＣユニット２０の起動完了まで無用に待つことなく、放送番組を楽しめる。また、ＰＣユニット２０の起動完了後は、リモコン９による簡単な操作によって、いつでもＰＣユニット２０を操作できる。
【０１４７】
（設置の容易性）
ＴＶユニット１０およびＰＣユニット２０が一体化されているため、ユーザはＰＣ内蔵テレビ１を簡単に設置できる。ＴＶユニット１０のディスプレイ２にＬＥＤバックライトを採用してもよい。これにより、ＴＶユニット１０の軽量化および薄型化が可能になるため、ＰＣ内蔵テレビ１の設置方向を縦横のいずれにも自由にできる。
【０１４８】
（ＰＣ内蔵テレビ１の販売）
ＰＣ内蔵テレビ１の外観は、通常のテレビジョン装置のそれに酷似している。したがって、販売店はＰＣ内蔵テレビ１をコンピュータ売り場ではなくテレビ売り場に置く。販売員は、ＰＣ内蔵テレビ１を見込み客に売り込むときに、簡単な操作でコンピュータも利用できることを訴求できる。結果、コンピュータ売り場は行かないがテレビの売り場なら行くような顧客、すなわちコンピュータは苦手だがテレビは使える一般的なユーザに対し、ＰＣ内蔵テレビ１への購入意欲を高めさせることができる。ＰＣ内蔵テレビ１はコンピュータも使えるという付加価値を有しており、その分単価を高く設定でき、利益率も高い。したがって、ＰＣ内蔵テレビ１の製造会社も、販売店もより高い利益をＰＣ内蔵テレビ１によって得られる。
【０１４９】
（消費電力の表示）
ＰＣ内蔵テレビ１は、自身の消費電力に関する情報を取得し、表示用の情報に変換して、ディスプレイ２に表示してもよい。
【０１５０】
〔実施形態２〕
本発明に係る第の実施形態について、図１６および図１７を参照して以下に説明する。なお、上述した第１の実施形態と共通する各部材には同じ符号を付し、詳細な説明を省略する。
【０１５１】
（ＰＣ内蔵テレビ１ａの外観例）
図１６（ａ）は、着脱可能なＰＣユニット２０ａがＴＶユニット１０ａに装着された後のＰＣ内蔵テレビ１ａを表示画面側から見た場合の外観を示す図である。図１６（ｂ）は、着脱可能なＰＣユニット２０ａがＴＶユニット１０ａに装着される前のＰＣ内蔵テレビ１ａを背面側から見た場合の外観を示す図である。
【０１５２】
この図に示すように、本実施形態のＰＣ内蔵テレビ１ａは、ＴＶユニット１０ａおよびＰＣユニット２０ａによって構成されている。この点において、第１の実施形態に係るＰＣ内蔵テレビ１と何ら変わりはない。しかし本実施形態のＰＣ内蔵テレビ１ａでは、ＰＣユニット２０ａがＰＣ内蔵テレビ１ａから着脱可能である。したがって、ＰＣ内蔵テレビ１の拡張性および保守性を高めることができる。なお、装着を解除した後、ＴＶユニット１０ａもＰＣユニット２０ａもそれぞれ単独で利用できる。
【０１５３】
ＰＣユニット２０ａには、図１６（ａ）に示すように、複数の外部端子１５０〜１５２が設けられている。具体的にはイーサネット（登録商標）端子１５０、ＵＳＢ端子１５１、および映像／音声入出力端子１５２である。また、図１６（ｂ）に示すように、ＰＣユニット２０ａには、ＴＶユニット１０ａと信号をやり取りするための外部端子１５３〜１５５も設けられている。具体的には、映像信号（ＨＤＭＩ信号を含むＳＤＶＯ：Ｓｅｒｉａｌ  Ｄｉｇｉｔａｌ  Ｖｉｄｅｏ  ＯｕｔＰｕｔ）端子１５３、制御信号端子１５４、および電源端子１５５である。これらの端子があることによって、ＰＣユニット２０ａとＴＶユニット１０ａとの間で、映像信号、制御信号、および電源信号を互いに送受信できる。なお、これらに加えて音声信号端子を設け、音声信号を互いに送受信することも当然に可能である。
【０１５４】
ＰＣユニット２０ａは単体で動作可能であり、製品として成り立つ。回路および配線はＰＣユニット２０ａの内部に全て収められ、外部には一切むき出しにされていない。ＴＶユニット１０ａも同様である。したがって両者の接続時に配線の手間が一切不要である。結果、ユーザは簡便な手順によってＰＣユニット２０ａをＴＶユニット１０ａに装着できる。すなわち、ＰＣユニット２０ａをその装着位置にただ差し込めばよいのである。
【０１５５】
ＰＣ内蔵テレビ１から外したＰＣユニット２０は、周辺機器に接続させることによって、様々な用途に活用できる。たとえば、モニタと接続可能なクレードルに、取り外したＰＣユニット２０を装着する。こうすれば、ＰＣユニット２０をデスクトップコンピュータとして使用できる。なお、ＰＣユニット２０ａとクレードルとを接続する端子としては、他にもイーサネット端子、およびシリアルポート端子を利用できる。
【０１５６】
（ＰＣ内蔵テレビ１ａの要部構成）
図１７は、本発明の一実施形態に係るＰＣ内蔵テレビ１ａの要部構成を示すブロック図である。この図に示すように、ＴＶユニット１０ａのコンテンツ取得部１５は、アンテナ４を通じての他、記録ディスク７（記録メディア）から、またはインターネット８を通じて、または外部機器（外部記憶装置）１６０から、再生対象のコンテンツを取得できる。すなわち、本実施形態のＴＶユニット１０ａが処理するコンテンツは、放送番組に限らず、たとえば静止画像および動画等の映像、テキスト、ならびに音声等のコンテンツも該当し、さらにこれらの組み合わせからなるマルチメディアコンテンツも該当する。他にも、ウェブページも含まれる。
【０１５７】
以上のように、ＰＣユニット２０ａは周辺機器を活用した拡張性を有しており、従来の汎用コンピュータに比べて活用の幅が広い。また、仮にＰＣユニット２０ａをＴＶユニット１０ａから離脱させた状態でも、あるいはＰＣユニット２０ａが故障した場合でも、ＴＶユニット１０ａ単独で、放送番組および各種のコンテンツを外部から取得できる。
【０１５８】
〔実施形態３〕
本発明に係る第３の実施形態について、図１８を参照して以下に説明する。なお、上述した第１および第２の実施形態と共通する各部材には同じ符号を付し、詳細な説明を省略する。
【０１５９】
本実施形態では、本発明はＢＤ内蔵テレビ１ｂとして実現される。ここで「ＢＤ」とはＢｌｕ−ｒａｙ（ブルーレイ、登録商標）録画再生機器のことである。ＢＤ内蔵テレビ１ｂは、放送番組の再生および記録ディスク７への録画、ならびにブルーレイコンテンツの再生が可能な装置である。
【０１６０】
（ＢＤ内蔵テレビの外観例）
図１８は、着脱可能なＢＤユニット２０ｂ（第２のユニット）がＴＶユニット１０ａに装着された後のＢＤ内蔵テレビ１ｂの外観例を示す図である。ＢＤユニット２０ｂはブルーレイ録画再生装置としての構成および機能を有しており、それ単体でも動作するユニットである。本実施形態では、ＰＣユニット２０ａの装着が可能なＴＶユニット１０ａに、ＢＤユニット２０ｂを装着して１つのＢＤ内蔵テレビ１ｂを構成する。すなわち、ＴＶユニット１０ａの装着スロットにはＰＣユニット２０ａもＢＤユニット２０ｂもそれぞれが着脱式で装着可能になっている。また、これらのユニット以外にも、たとえばＤＶＤレコーダとしての構成および機能を有するＤＶＤユニットも、ＴＶユニット１０ａに装着可能である。
【０１６１】
ＴＶユニット１０ａは、装着されたＢＤ内蔵テレビ１ｂと連携して動作する。したがって、ユーザはリモコン９を使用してＴＶユニット１０ａもＢＤユニット２０ｂも操作できる。すなわち、放送番組の視聴、放送番組の記録ディスク７への録画、記録ディスク７に録画されたコンテンツの再生は、１つのリモコン９によっていずれも可能である。
【０１６２】
なお、ＢＤユニット２０ｂは、第１の実施形態に係るＴＶユニット１０に支持される形で装着されることもできる。この場合、たとえばＵＳＢ２．０の規格に従った端子間での接続が可能である。
【０１６３】
（付記事項）
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１６４】
本発明のコンテンツ再生装置は、第１のユニットおよび複数の第２のユニットによって構成されていても良い。第２のユニットは、汎用コンピュータ、ブルーレイ再生（録画）機器、ＤＶＤ再生（録画）機器、およびハードディスクレコーダのいずれかとして実現され得る。これらのうち任意の複数の第２のユニットと、第１のユニットとを組み合わせて、１つのコンテンツ再生装置を構成する。結果、たとえば１つのコンテンツ再生装置が２つのＰＣユニット２０を備えている構成、ならびに、１つのコンテンツ再生装置が１つのＰＣユニット２０ａおよび１つのＢＤユニット２０ｂを備えている構成は、いずれも本発明の範疇に含まれる。如何なる第２のユニットも、第１のユニットから着脱可能とすることもできるし、または、第１のユニットの筐体本体に内蔵することもできる。
【０１６５】
ＰＣユニット２０ａがＴＶユニット１０ａの筐体本体に内蔵された構成のＰＣ内蔵テレビ１も、実現可能である。この場合、ＰＣユニット２０ａはＴＶユニット１０ａの内部に完全に隠されている。したがって、ＰＣユニット２０ａを外部環境から守ることができる。なお、ユーザは、ＰＣユニット２０ａをＴＶユニット１０ａの内部から取り出して、別のＰＣユニット２０ａに交換することができる。
【０１６６】
（プログラムおよび記録媒体）
最後に、ＰＣ内蔵テレビ１に含まれている各ブロックは、ハードウェアロジックによって構成すればよい。または、次のように、ＣＰＵを用いてソフトウェアによって実現してもよい。
【０１６７】
すなわちＰＣ内蔵テレビ１は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１６８】
この記録媒体は、上述した機能を実現するソフトウェアであるＰＣ内蔵テレビ１のプログラムのプログラムコード（実行形式プログラム、中間コードプログラム、ソースプログラム）をコンピュータで読み取り可能に記録していればよい。ＰＣ内蔵テレビ１に、この記録媒体を供給する。これにより、コンピュータとしてのＰＣ内蔵テレビ１（またはＣＰＵやＭＰＵ）が、供給された記録媒体に記録されているプログラムコードを読み出し、実行すればよい。
【０１６９】
プログラムコードをＰＣ内蔵テレビ１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１７０】
また、ＰＣ内蔵テレビ１を通信ネットワークと接続可能に構成しても、本発明の目的を達成できる。この場合、上記のプログラムコードを、通信ネットワークを介してＰＣ内蔵テレビ１に供給する。この通信ネットワークはＰＣ内蔵テレビ１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１７１】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【０１７２】
本発明は、コンピュータを内蔵したテレビジョン装置として幅広く利用できる。
【符号の説明】
【０１７３】
１  ＰＣ内蔵テレビ（コンテンツ再生装置）
１ａ  ＰＣ内蔵テレビ（コンテンツ再生装置）
１ｂ  ＢＤ内蔵テレビ（コンテンツ再生装置）
２  ディスプレイ
３  スピーカ
４  アンテナ
５  マウス
６  キーボード
７  記録ディスク（記録メディア）
８  インターネット（通信ネットワーク）
９  リモコン
１０  ＴＶユニット（第１のユニット）
１０ａ  ＴＶユニット（第１のユニット）
１１  映像出力部（コンテンツ再生手段）
１２  音声出力部（コンテンツ再生手段）
１３  コンテンツ処理部（コンテンツ再生手段）
１４  コンテンツ合成部（コンテンツ合成手段）
１５  コンテンツ取得部（第１のコンテンツ取得手段、放送波受信手段）
１６  コンテンツ受信部（コンテンツ受信手段、第２のコンテンツ情報受信手段）
１７  ユーザ入力部
１８  情報通信部（第１のコンテンツ情報送信手段）
１９  制御部
２０  ＰＣユニット（第２のユニット）
２０ａ  ＰＣユニット（第２のユニット）
２０ｂ  ＢＤユニット（第２のユニット）
２１  コンテンツ処理部
２２  コンテンツ取得部（第２のコンテンツ取得手段）
２３  コンテンツ送信部（コンテンツ送信手段、第２のコンテンツ情報送信手段）
２４  記憶部（内部記憶装置）
２５  情報通信部（第１のコンテンツ情報受信手段）
２６  ユーザ入力部
２７  制御部
２８  アプリケーション実行部
２９  取得条件設定部（条件設定手段）
【図１】
2011004138.tif 000003
【図２】
2011004138.tif 000004
【図３】
2011004138.tif 000005
【図４】
2011004138.tif 000006
【図５】
2011004138.tif 000007
【図６】
2011004138.tif 000008
【図７】
2011004138.tif 000009
【図８】
2011004138.tif 000010
【図９】
2011004138.tif 000011
【図１０】
2011004138.tif 000012
【図１１】
2011004138.tif 000013
【図１２】
2011004138.tif 000014
【図１３】
2011004138.tif 000015
【図１４】
2011004138.tif 000016
【図１５】
2011004138.tif 000017
【図１６】
2011004138.tif 000018
【図１７】
2011004138.tif 000019
【図１８】
2011004138.tif 000020